(57)【要約】【課題】スクリーンの下降時にスクリーンが歪むような問題をより確実に防止できる電動ロールスクリーン装置等を提供することを目的とする。【解決手段】スクリーン及びこのスクリーンの下端部に設けられたボトムバーのそれぞれの左右両端部をガイド溝でガイドしながら昇降モータにより前記スクリーンを昇降動作させる電動ロールスクリーン装置であって、前記ボトムバーの水平方向に対する傾きを検知する傾斜検知センサーと、前記昇降モータの動作を制御するコントローラと、を有し、前記コントローラは、前記昇降モータの作動中に、前記傾斜検知センサーの検知結果に基づき、前記傾きが所定値以上となった場合に、前記昇降モータの動作を停止させることを特徴とする。【選択図】図３
2017186807.tif 000002
【特許請求の範囲】
【請求項１】
スクリーン及びこのスクリーンの下端部に設けられたボトムバーのそれぞれの左右両端部をガイド溝でガイドしながら昇降モータにより前記スクリーンを昇降動作させる電動ロールスクリーン装置であって、
前記ボトムバーの水平方向に対する傾きを検知する傾斜検知センサーと、
前記昇降モータの動作を制御するコントローラと、を有し、
前記コントローラは、前記昇降モータの作動中に、前記傾斜検知センサーの検知結果に基づき、前記傾きが所定値以上となった場合に、前記昇降モータの動作を停止させることを特徴とする電動ロールスクリーン装置。
【請求項２】
前記傾斜検知センサーは、前記傾きが所定値以上となった場合に、前記コントローラに前記昇降モータの動作を停止させるための停止信号を出力することを特徴とする請求項１に記載の電動ロールスクリーン装置。
【請求項３】
前記傾斜検知センサーは、前記ボトムバーに設置されていることを特徴とする請求項１又は２に記載の電動ロールスクリーン装置。
【請求項４】
前記スクリーンはカーテンであることを特徴とする請求項１乃至３のうちいずれか一つに記載の電動ロールスクリーン装置。
【請求項５】
スクリーン及びこのスクリーンの下端部に設けられたボトムバーのそれぞれの左右両端部をガイド溝でガイドしながら昇降モータにより前記スクリーンを昇降動作させる電動ロールスクリーン装置に用いられる傾斜検知センサーであって、
前記ボトムバーの水平方向に対する傾きが所定値以上となったことを検知した際に、前記昇降モータの動作を停止させるための停止信号を出力することを特徴とする傾斜検知センサー。
【発明の詳細な説明】
【技術分野】
【０００１】
本発明は、モータでスクリーンを昇降させることが可能な電動ロールスクリーン装置等に関するものである。
【背景技術】
【０００２】
スクリーンの下端部に吊持されたボトムバーの両端部をガイドレールでガイドしながら、スクリーンを昇降させる電動ロールスクリーン装置が知られている。
【０００３】
特許文献１には、スクリーンの巻取軸を支持部材に回転可能に支持し、前紀巻取軸をモータで回転駆動してスクリーンを昇降可能とし、スクリーンの下端にはボトムバーを取着し、ボトムバーには障害物検知スイッチを設け、障害物検知スイッチを接続コードを介してモータに接続し、障害物検知スイッチで障害物を検知したとき、モータの作動を停止させる障害物検知停止装置を備えた電動ロールブラインドにおいて、接続コードはスクリーンにジグザグ状に縫い着けたことを特徴とする電動ロールブラインドの障害物検知停止装置が開示されている。
【０００４】
また、この特許文献１では、ボトムバーの全長にわたって障害物検知スイッチが出没可能に設けられ、この障害物検知スイッチは障害物に当接してボトムバー内に没入すると、閉路する構成となっている。
【先行技術文献】
【特許文献】
【０００５】
【特許文献１】特開平７−１２７３６３号公報
【発明の概要】
【発明が解決しようとする課題】
【０００６】
しかしながら、上述の構成では、図５に示すように、スクリーンの下にある障害物がボトムバーの障害物検知スイッチを避けた位置に当接した場合や、図６に示すようにスクリーンに直接障害物（例えば、スクリーンに向かって張り出す観葉植物）が当たった場合には障害物を検知することができない。
【０００７】
この場合、障害物に接触した状態でスクリーンが下降し続けるため、ボトムバーが障害物との接触点を支点として徐々に傾き、ガイドレールから外れるおそれがある。このような問題が発生した際、ユーザは、ボトムバーをガイドレールに改めて嵌め込む等自ら無理な修復作業を行い、故障を招くことが経験的に知られている。特に、ホテルなどの有料宿泊施設では、故障による責任を回避するために、フロントに相談せずに修繕を試みるユーザが多い。
【０００８】
また、ボトムバーが傾くと、スクリーンに歪みが生じ、スクリーンがカーテンである場合には、皺ができる等の問題も懸念される。
【０００９】
そこで、本願発明は、スクリーンの下降時にスクリーンが歪むような問題をより確実に防止できる電動ロールスクリーン装置等を提供することを目的とする。
【課題を解決するための手段】
【００１０】
上記課題を解決するために、本願発明に係る電動ロールスクリーン装置は、（１）スクリーン及びこのスクリーンの下端部にそれぞれ設けられたボトムバーの左右両端部をガイド溝でガイドしながら昇降モータにより前記スクリーンを昇降動作させる電動ロールスクリーン装置であって、前記ボトムバーの水平方向に対する傾きを検知する傾斜検知センサーと、前記昇降モータの動作を制御するコントローラと、を有し、前記コントローラは、前記昇降モータの作動中に、前記傾斜検知センサーの検知結果に基づき、前記傾きが所定値以上となった場合に、前記昇降モータの動作を停止させることを特徴とする。
【００１１】
（２）前記傾斜検知センサーは、前記傾きが所定値以上となった場合に、前記コントローラに前記昇降モータの動作を停止させるための停止信号を出力することを特徴とする上記（１）に記載の電動ロールスクリーン装置。
【００１２】
（３）前記傾斜検知センサーは、前記ボトムバーに設置されていることを特徴とする上記（１）又は（２）に記載の電動ロールスクリーン装置。
【００１３】
（４）前記スクリーンはカーテンであることを特徴とする上記（１）乃至（３）のうちいずれか一つに記載の電動ロールスクリーン装置。
【００１４】
（５）スクリーン及びこのスクリーンの下端部に設けられたボトムバーのそれぞれの左右両端部をガイド溝でガイドしながら昇降モータにより前記スクリーンを昇降動作させる電動ロールスクリーン装置に用いられる傾斜検知センサーであって、前記ボトムバーの水平方向に対する傾きが所定値以上となったことを検知した際に、前記昇降モータの動作を停止させるための停止信号を出力することを特徴とする傾斜検知センサー。
【発明の効果】
【００１５】
本願発明によれば、スクリーンの下降時にボトムバーの傾きを検知して、昇降モータを強制的に停止させることにより、ボトムバーがガイドレールから外れることを防止できる。これにより、スクリーンが歪むような問題をより確実に防止することができる。
【図面の簡単な説明】
【００１６】
【図１】電動ロールスクリーン装置をガイドレールから取り外した状態を示す斜視図である。
【図２】電動ロールスクリーン装置をガイドレールに係合させた状態を示す斜視図である。
【図３】電動ロールスクリーン装置の機能ブロック図である。
【図４】電動ロールスクリーン装置の動作を説明するためのフローチャートである。
【図５】従来の電動ロールスクリーン装置の使用状態を示す図面である。
【図６】従来の電動ロールスクリーン装置の別の使用状態を示す図面である。
【発明を実施するための形態】
【００１７】
図１は電動ロールスクリーン装置をガイドレールから取り外した状態を示す斜視図であり、図２は電動ロールスクリーン装置をガイドレールに係合させた状態を示す斜視図である。図３は、電動ロールスクリーン装置の機能ブロック図である。なお、本発明は、電動カーテン、電動ロールブラインドなど、スクリーンの両端部がガイドレールにガイドされ、電動で昇降動作可能な電動ロールスクリーン装置に適用することができる。
【００１８】
これらの図を参照して、電動ロールスクリーン装置１は、図示しない巻取軸部と、巻取軸部が収納された収納ケース１１と、巻取軸部に吊下支持されたスクリーン１２と、スクリーン１２の下端部に取り付けられたボトムバー１３とを含む。巻取軸部は図示しない伝達機構を介して正逆回転可能な昇降モータ１４に接続されている。昇降モータ１４が一方向に回転すると、巻取軸部はスクリーン１２を巻き取る方向に回転する。昇降モータ１４が他方向に回転すると、巻取軸部はスクリーン１２を繰り出す方向に回転する。
【００１９】
ボトムバー１３は中空構造に構成されており、このボトムバー１３の内部には傾斜検知センサー１５が設置されている。傾斜検知センサー１５は、ボトムバー１３の水平方向に対する傾斜角度が所定角度α以上になると、昇降モータ１４を停止させるための停止信号をコントローラ１６に対して無線通信する。なお、傾斜検知センサー１５は有線通信によって、コントローラ１６に停止信号を送信してもよい。コントローラ１６には、ＣＰＵなどを用いることができる。
【００２０】
傾斜検知センサー１５の構成の詳細を述べる。傾斜検知センサー１５は、センサースイッチ１５１、ＣＰＵ（central processing unit）１５２及びＲＦ（radio frequency）装置１５３を含む。センサースイッチ１５１には、例えば、マグネット動作タイプのスイッチ等公知の構成を用いることができる。センサースイッチ１５１は、傾斜角度が所定角度α以上になると、ＣＰＵ１５２に接続された回路をオンする。所定角αは、ボトムバー１３が後述するガイドレール２１から外れることを防止し得る適宜の角度に設定することができる。適宜の角度は、ボトムバー１３の長さなどに応じて変わるため、本明細書では特に限定しない。
【００２１】
ガイドレール２１は、スクリーン１２及びボトムバー１３の両端部に対応した位置に設けられ、それぞれが上下方向に延びている。ガイドレール２１には、ボトムバー１３の長手方向中央部に向かって開口したコの字形状のガイド溝部２１aが形成されている。これらのガイド溝部２１aには、スクリーン１２及びボトムバー１３の両端部がガイドされている。したがって、昇降モータ１４を正逆回転させると、ガイド溝部２１aにガイドされながら、スクリーン１２及びボトムバー１３は上下方向に昇降移動する。
【００２２】
次に、図４のフローチャートを参照しながら、コントローラ１６が行う処理について説明する。Ｓ１０１において、コントローラ１６は、昇降モータ１４を他方向に回転させ、スクリーン１２を下降させる。Ｓ１０２において、コントローラ１６はＲＦ装置１５３から昇降モータ１４を停止させるための停止信号を受信したか否かを判別する。当該停止信号を受信しなかった場合には（Ｓ１０２  Ｎｏ）、処理はＳ１０４に進む。当該停止信号を受信した場合には（Ｓ１０２  Ｙｅｓ）、処理はＳ１０３に進む。なお、上述した通り、ボトムバー１３の傾斜角度が所定角度α以上になると、ＲＦ装置１５３からコントローラ１６に向かって、前記停止信号が出力される。
【００２３】
ステップＳ１０３において、コントローラ１６は昇降モータ１４の回転動作を停止させる。このように、ボトムバー１３の傾斜角度が所定角度αに達した時に、昇降モータ１４の回転動作を停止させることにより、ボトムバー１３が所定角度αを超えて傾くことを防止できる。これにより、ボトムバー１３がガイドレール２１から外れることを防止できる。
【００２４】
Ｓ１０４において、コントローラ１６はスクリーン１２が下死点に到達したか否かを判別する。スクリーン１２が下死点に到達した場合には（Ｓ１０４  Ｙｅｓ）、処理はＳ１０３に進む。スクリーン１２が下死点に到達していない場合には（Ｓ１０４  Ｎｏ）、処理はＳ１０１に戻る。
【００２５】
（他の実施例）
上述の実施形態では、ボトムバー１３の内部に傾斜検知センサー１５を設置したが、本発明はこれに限るものではない。すなわち、傾斜検知センサー１５はボトムバー１３の外面に設置してもよい。
【００２６】
また、別の実施例として、ボトムバー１３の端部に発光素子、この発光素子の直上の収納ケース１１の外面に受光素子を設置することで、傾斜検知センサー１５とすることもできる。この場合、ボトムバー１３が水平向きである場合には、発光素子から出射された光は受光素子に受光される。一方、ボトムバー１３が傾斜している場合には、発光素子から出射された光は受光素子に受光されない。このような光学的手法によって、ボトムバー１３の傾き状態を検知する方法も本願発明の範囲内である。
【００２７】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００２８】
１  電動ロールスクリーン装置
１１  収納ケース
１２  スクリーン
１３  ボトムバー
１４  昇降モータ
１５  傾斜検知センサー
１６  コントローラ
１５１  センサースイッチ
１５２  ＣＰＵ
１５３  ＲＦ装置
【図１】
2017186807.tif 000003
【図２】
2017186807.tif 000004
【図３】
2017186807.tif 000005
【図４】
2017186807.tif 000006
【図５】
2017186807.tif 000007
【図６】
2017186807.tif 000008